(57)【要約】【課題】  簡単な構造で便座の殺菌を確実に行うことができ、常に便座を清潔に保ち、快適に利用することができる便座装置を提供する。【解決手段】  人が座る便座２と、当該便座２を上方から覆い、前記便座２の根元部で回動可能に軸支された便座カバー３と、前記便座２の根元部下側に備わり、人の排泄部位を洗浄するための洗浄水を噴出するノズル１１を有する洗浄装置４とを備え、洋式便器に取り付けられる便座装置であって、前記便座２と前記便座カバー３の間に消毒空間が形成され、前記便座カバー３には、前記便座カバー３が閉じられた状態で、前記洗浄水が噴出される位置に、当該洗浄水を蒸発させるためのヒーター６が備わる。【選択図】        図２
0003129908.tif 000002
【実用新案登録請求の範囲】
【請求項１】
人が座る便座と、
当該便座を上方から覆い、前記便座の根元部で回動可能に軸支された便座カバーと、
前記便座の根元部下側に備わり、人の排泄部位を洗浄するための洗浄水を噴出するノズルを有する洗浄装置とを備え、洋式便器に取り付けられる便座装置であって、
前記便座と前記便座カバーの間に消毒空間が形成され、
前記便座カバーには、前記便座カバーが閉じられた状態で、前記洗浄水が噴出される位置に、当該洗浄水を蒸発させるためのヒーターが備わることを特徴とする便座装置。
【請求項２】
前記便座カバーには、前記便座の側面を覆う外縁部材が備わることを特徴とする請求項１に記載の便座装置。
【請求項３】
前記外縁部材は、排泄物を受ける前記洋式便器の上側面を覆うことを特徴とする請求項２に記載の便座装置。
【請求項４】
前記洗浄装置及びヒーターは、前記便座カバーを閉じると自動的に洗浄水を噴出及び昇温することを特徴とする請求項１〜３のいずれかに記載の便座装置。
【考案の詳細な説明】
【技術分野】
【０００１】
この考案は、便座の消毒手段を備えた便座装置に関するものである。
【背景技術】
【０００２】
トイレに備わる便座は、人の大腿部が直に接触して座るものであるため、常に清潔であることが好ましい。便座に細菌等が付着していると、座った人に当該細菌等が直接接触することになるので、不衛生であり人体に有害である。特に、駅等に設置される公衆トイレでは、利用率が高く、誰でも利用することができるので、細菌等が不特定多数の人体に付着するおそれがある。また、自分の前にどのような人が座ったかを特定することは困難であるため、気持が悪いと思う人もいる。このような場合、トイレを利用する人は、自分が座る際に備え付けのトイレットペーパー等で拭いて清掃する等して対応していた。
【０００３】
しかしトイレを利用するたびごとに便座を拭いて清掃することは、面倒であるとともに、確実に細菌等を除去することはできない。特に急いでいるときなどは、このような清掃を行わない場合もあり、また行ったとしても、雑に清掃するため、細菌等の除去が確実ではない。
【考案の開示】
【考案が解決しようとする課題】
【０００４】
この考案は上記従来技術を考慮したものであって、簡単な構造で便座の殺菌を確実に行うことができ、常に便座を清潔に保ち、快適に利用することができる便座装置の提供を目的とするものである。
【課題を解決するための手段】
【０００５】
前記目的を達成するため、請求項１の考案では、人が座る便座と、当該便座を上方から覆い、前記便座の根元部で回動可能に軸支された便座カバーと、前記便座の根元部下側に備わり、人の排泄部位を洗浄するための洗浄水を噴出するノズルを有する洗浄装置とを備え、洋式便器に取り付けられる便座装置であって、前記便座と前記便座カバーの間に消毒空間が形成され、前記便座カバーには、前記便座カバーが閉じられた状態で、前記洗浄水が噴出される位置に、当該洗浄水を蒸発させるためのヒーターが備わることを特徴とする便座装置を提供する。
【０００６】
また、請求項２の考案では、請求項１の考案において、前記便座カバーには、前記便座の側面を覆う外縁部材が備わることを特徴としている。
【０００７】
また、請求項３の考案では、請求項２の考案において、前記外縁部材は、排泄物を受ける前記洋式便器の上側面を覆うことを特徴としている。
【０００８】
また、請求項４の考案では、請求項１〜３のいずれかの考案において、前記洗浄装置及びヒーターは、前記便座カバーを閉じると自動的に洗浄水を噴出及び昇温することを特徴としている。
【考案の効果】
【０００９】
請求項１の考案によれば、便座カバーの、洗浄水が噴出される位置にヒーターが備わるため、ヒーターに衝突した洗浄水が蒸発し、湿り空気となる。この湿り空気が、便器内に充満し、消毒空間に入り込む。これにより、便座に湿り空気中の水分が凝縮付着し、細菌等を殺菌し消毒することができる。さらにヒーターで加熱することにより、殺菌、消毒効果を高めるとともに、便座に付着した水分の乾燥も行うことができる。これを便座カバーが閉じられたら自動に、又はスイッチ等により利用者が便器使用後に手動で行うことにより、便座表面を常時清潔に保ち、次に使用する人に快適な使用感を与えることができる。また、この殺菌作用は、化学的薬剤を使用することもなく、機械的な駆動部をも必要としないので、簡単な構造で安価に行うことができる。また、ヒーターが作動するのは便座カバーが閉じられた状態であるので、ヒーターが高温時に人がこれに触れることはなく、安全に殺菌、消毒を行うことができる。
【００１０】
請求項２の考案によれば、便座カバーに備わる外縁部材が便座の側面を覆うので、便座上部の消毒空間の側方から湿り空気が漏れることはない。したがって、湿り空気による殺菌作用を高めることができる。
【００１１】
請求項３の考案によれば、外縁部材が便器の上側面を覆うため、便器上面と便座との間から湿り空気が漏れることはない。したがって、便器と便座カバーで便器内に小さな密閉空間を形成できるので、湿り空気を迅速に充満させることができ、確実かつ迅速に殺菌、消毒を行うことができる。
【００１２】
請求項４の考案によれば、洗浄装置及びヒーターは、便座カバーを閉じると自動的に洗浄水を噴出及び昇温するので、人が便器を使用後に、便座カバーが閉じられると、自動的に便座の殺菌、消毒を行うことができる。便座カバーの閉じ動作も自動で行えば、全自動で便座の殺菌、消毒を行うことができる。
【考案を実施するための最良の形態】
【００１３】
この考案は、人が座る便座と、当該便座を上方から覆い、前記便座の根元部で回動可能に軸支された便座カバーと、前記便座の根元部下側に備わり、人の排泄部位を洗浄するための洗浄装置とを備え、当該洗浄装置には、洗浄水が噴出するノズルが配設される洋式便器に取り付けられる便座装置であって、前記便座と前記便座カバーの間に消毒空間が形成され、前記便座カバーには、前記便座カバーが閉じられた状態で、前記洗浄水が噴出される位置に、当該洗浄水を蒸発させるためのヒーターを備え、簡単な構造で便座の殺菌を確実に行うことができ、常に便座を清潔に保ち、快適に利用することができる便座装置である。
【実施例】
【００１４】
微量水分からなる湿り空気は殺菌作用を有することが知られている。特に、細菌等を構成する微生物の多くはその周囲の微量な水分の加熱によって殺菌されることが知られている。湿り空気は水のみで形成され、化学薬品等を含んでいないため、特に人体に直接接触する便座を対象として殺菌、消毒を行うにあたり、人体への影響がなく、経済的観点からも好ましい。
【００１５】
図１はこの考案に係る便座装置を示し、（Ａ）は平面図、（Ｂ）は（Ａ）のＡ−Ａ断面図、（Ｃ）は（Ａ）のＢ−Ｂ視図、（Ｄ）は（Ａ）のＣ−Ｃ断面図である。
【００１６】
図示したように、この考案に係る便座装置１は、便座２と便座カバー３と、洗浄装置４で構成される。便座カバー３は便座２の根元部２ａ側に備わる回転軸５に軸支され、回動可能に取り付けられる。便座２も、根元部２ａで回転軸５に軸支され、回動可能である。便座カバー３の裏面には、ヒーター６が備わる。このヒーター６は、後述するように、洗浄水の噴出方向の位置に配設される。７は便座カバー３の裏面と便座２の上面との間の間隔を保持するためのスペーサである。これにより、便座２の上側に消毒空間８が形成される。スペーサ７を備えずに、消毒空間８を形成できれば、スペーサ７を省略してもよい。なお、図では便座２は平面略Ｕ字形状であるが、平面略Ｏ字形状であってもよい。
【００１７】
便座カバー３の外縁には便座カバー３と一体形成される外縁部材１０が備わる。この外縁部材１０は便座カバー３の周辺から、裏面側に突出して形成される。したがって、外縁部材１０が便座２の側面を覆うので、便座２上部の消毒空間８を側方から確実に覆うことができる。なお、外縁部材１０は便座カバー３と別体にして後から取り付けてもよい。
【００１８】
図２はこの考案に係る便座装置を洋式便器に取り付けたときの断面図である。
【００１９】
図示したように、便座装置１は、洋式便器９の上面に取り付けられる。人が便器を利用している際に、人体の排泄部位を洗浄するために、洗浄装置４からノズル１１が突出し、当該ノズル１１の先端から洗浄水が噴出される（矢印Ｗ方向）。
【００２０】
人が便器を使用した後、便座カバー３が閉じられる。この閉じ動作は、人が手動で行ってもよいし、センサー等で人が去ったことを検知して自動で行ってもよい。この後、洗浄装置４からノズル１１が突出し、洗浄水を噴出する。この突出、噴出動作も手動又は自動で行ってもよい。洗浄装置４は、便器内に十分な湿り空気を充満させる程度の洗浄水を噴出したら停止する。
【００２１】
便座カバー３の裏面の、洗浄水の噴出方向には、ヒーター６が備わる。したがって、ノズル１１から噴出した洗浄水は、ヒーター６に衝突する。ヒーター６は便座カバー３が閉じられると同時に自動的に昇温する。このため、ヒーター６に衝突した洗浄水が蒸発する。ヒーター６としては、急速に昇温するものを用いることが好ましい。例えば、セラミックスヒーター等が考えられる。
【００２２】
蒸発した洗浄水は、微量水分の湿り空気となる。この湿り空気が、便器内に充満するとともに、消毒空間８に入り込む。これにより、便座２の表面に湿り空気中の水分が付着し、細菌等が殺菌され消毒される。さらにヒーターで加熱することにより、殺菌、消毒効果が高まるとともに、便座２に付着した水分も乾燥する。これにより殺菌、消毒が完了する。水分乾燥後、ヒーター６は停止する。
【００２３】
このとき、上述したように、消毒空間８はその外側を外縁部材１０で覆われるため、湿り空気が漏れることはない。外縁部材１０は、さらに洋式便器９の上側面を覆う位置まで延設される。このため、便器９の上面と便座２の下面との間から湿り空気が漏れることを防止できる。この構成により、便器９内の空間が便座カバー３で覆われ、密閉空間が形成される。便器９の大きさは通常、規格で定まり、この密閉空間は比較的狭いので、湿り空気は迅速に便器９内に充満し、殺菌、消毒時間は短いものとなる。冬場等に使用する便座２自体を暖める便座ヒーターを併用すれば、さらに殺菌、消毒時間を短縮することができる。
【００２４】
このように、この考案に係る便座装置１は、便座２表面を常時清潔に保ち、快適な使用感を利用者に与えることができる。また、この殺菌作用は、化学的薬剤を使用することもなく、機械的な駆動部をも必要としないので、簡単な構造で安価に行うことができる。また、ヒーター６が作動するのは便座カバーが閉じられた状態であるので、ヒーター６が高温時に人がこれに触れることはなく、安全に殺菌、消毒を行うことができる。
【図面の簡単な説明】
【００２５】
【図１】この考案に係る便座装置を示し、（Ａ）は平面図、（Ｂ）は（Ａ）のＡ−Ａ断面図、（Ｃ）は（Ａ）のＢ−Ｂ視図、（Ｄ）は（Ａ）のＣ−Ｃ断面図である。
【図２】この考案に係る便座装置を洋式便器に取り付けたときの断面図である。
【符号の説明】
【００２６】
１：便座装置、２：便座、３：便座カバー、４：洗浄装置、５：回転軸、６：ヒーター、７：スペーサ、８：消毒空間、９：洋式便器、１０：外縁部材、１１：ノズル
【図１】
0003129908.tif 000003
【図２】
0003129908.tif 000004